(57)【要約】【課題】異なるメーカーの家電機器が建物内に混在して設置されていても、全機器の操作画面を一体システムとして提供できる機器制御装置及びその方法を提供する。【解決手段】建物内ネットワークで接続された建物Ｈの機器１〜５を、リモコン操作画面１００で制御する。矩形単位グリッド２１０が隙間２１１を置いて格子状に配列されたグリッドパターン２００のグリッドパターン記憶手段と、機器群毎のリモコン操作手段，運転状態を表示する画面部品１１０，１２０，１３０のオブジェクトの画面部品オブジェクト記憶手段を備える。グリッドパターン記憶手段から、グリッドパターン２００を取得し、複数の画面部品１１０，１２０，１３０のオブジェクトを、画面部品オブジェクト記憶手段から取得し、オブジェクトの外周を形成する線が、単一単位グリッド２１０又は隣合う単位グリッド２１０の集合体で形成される領域の外周の線と一致するよう、画面表示する。【選択図】図３
2014187476.tif 000002
【特許請求の範囲】
【請求項１】
建物内ネットワークを介して接続された建物の複数のエネルギー機器を、リモートコントロール（以下、リモコン）操作画面を用いて制御する機器制御装置であって、
矩形の単位グリッドが隙間を置いて格子状に配列されたグリッドパターンを記憶するグリッドパターン記憶手段と、
前記機器群毎のリモコン操作手段及び運転状態を表示する画面部品のオブジェクトを格納する画面部品オブジェクト記憶手段と、を備え、
前記グリッドパターン記憶手段から、前記グリッドパターンを取得すると共に複数の前記画面部品のオブジェクトを、前記画面部品オブジェクト記憶手段から取得し、前記オブジェクトの外周を形成する線が、単一の前記単位グリッド又は隣り合う前記単位グリッドの集合体によって形成される領域の外周を形成する線と一致するように、画面上に表示することによって、前記機器群毎の前記画面部品を前記画面上に並べて複数表示するリモコン操作画面の表示手段を備えることを特徴とする機器制御装置。
【請求項２】
前記リモコン操作画面の表示手段は、対応する前記機器から、前記建物内ネットワークを介して、前記機器の設定及び運転状態を示す情報を受信して、該情報を用いて、前記リモコン操作手段及び前記運転状態を表示することを特徴とする請求項１記載の機器制御装置。
【請求項３】
前記リモコン操作手段及び前記運転状態を表示する運転状態表示欄のオブジェクトを格納する操作オブジェクト記憶手段と、
前記リモコン操作手段及び前記運転状態表示欄の各々について、前記画面部品に表示するか否かを設定する設定手段と、
該設定手段で設定された前記リモコン操作手段及び前記運転状態表示欄の表示要否の別を、前記画面部品毎に記憶する表示要否記憶手段と、を備え、
前記リモコン操作画面表示手段は、前記画面部品を特定する情報をキーとして前記表示要否記憶手段を参照して、前記設定手段で表示するように設定された前記画面部品に表示する前記リモコン操作手段及び前記運転状態表示欄の特定情報を取得し、該取得したリモコン操作手段及び運転状態表示欄の特定情報をキーとして、前記操作オブジェクト記憶手段を参照し、前記設定手段で表示するように設定された前記リモコン操作手段及び前記運転状態表示欄のオブジェクトを取得して、該当する前記画面部品上に表示することを特徴とする請求項１又は２記載の機器制御装置。
【請求項４】
前記リモコン操作画面の表示手段は、前記リモコン操作画面の表示を要求する要求信号を受けたときに、前記グリッドパターン及び前記複数の画面部品のオブジェクトを取得して画面上に表示し、前記機器群毎の前記画面部品を前記画面上に並べて複数表示することによって、前記リモコン操作画面を表示することを特徴とする請求項１乃至３いずれか記載の機器制御装置。
【請求項５】
建物内ネットワークを介して接続された建物の複数のエネルギー機器を、リモコン操作画面を用いて制御する機器制御方法であって、
矩形の単位グリッドが隙間を置いて格子状に配列されたグリッドパターンを記憶するグリッドパターン記憶手段から、前記グリッドパターンを取得すると共に、前記機器群毎のリモコン操作手段及び運転状態を表示する画面部品のオブジェクトを格納する画面部品オブジェクト記憶手段から、複数の前記画面部品のオブジェクトを取得し、前記オブジェクトの外周を形成する線が、単一の前記単位グリッド又は隣り合う前記単位グリッドの集合体によって形成される領域の外周を形成する線と一致するように、画面上に表示することによって、前記機器群毎の前記画面部品を前記画面上に並べて複数表示することを特徴とする機器制御方法。
【発明の詳細な説明】
【技術分野】
【０００１】
本発明は、建物内に設置された複数のエネルギー機器をリモートコントロール（以下、リモコン）操作する機器制御装置及びその方法に関する。
【背景技術】
【０００２】
一般的に、住宅等の建物内に設置されたエアコン，照明器具，蓄電池，発電装置等の各種エネルギー消費機器や創エネルギー機器を操作するリモートコントローラ（以下、リモコン）として、大別して、物理的なリモコンとソフトウェア的なリモコンの二種類が用いられている。
物理的なリモコンは、操作面と表示画面を備えた筐体からなるエネルギー機器ごとのリモコンであり、エネルギー機器ごとに、建物の部屋の壁に設置される。また、ソフトウェア的なリモコンは、パーソナルコンピュータや携帯情報端末からホームネットワーク等を介してエネルギー機器を制御するものである。
【０００３】
物理的なリモコンは、壁上の限られたスペースに様々なリモコンを設置する必要が生じるため、施工が煩雑であり、また、一旦リモコンを設置すると、操作場所が設置場所に限られるのに対し、ソフトウェア的なリモコンは、このような欠点がない点で、有利である。
しかし、従来のソフトウェア的なリモコンは、画面構成が、制御する機器ごとの画面となっており、異なる機器を制御する際には画面遷移が伴うため、操作性の向上が望まれている。また、リモコンのプログラムは、機器の製造メーカーごとに異なり、建物内に異なる製造メーカーの機器が混在すると、リモコンで操作できない機器が生じることが多かった。
【０００４】
そこで、インターネットを介してホームサーバに接続可能に設けられた住宅外のＡＳＰサーバから、住宅に設置されたネットワーク家電機器に対応するＧＵＩ画面の提供を受けて、住宅内に設置された操作端末から、家電機器の制御を可能とする技術が提案されている（例えば特許文献１）。
特許文献１では、住宅内のホームネットワークに新規にネットワーク家電機器が接続されると、ホームサーバが、それを検知して新規参入家電機器の情報を受け取り、ホームサーバとインターネットを介して接続可能に設けられた住宅外のＡＳＰサーバにその新規参入家電機器の情報（製造会社名、製品名、型式、ＩＤ等）を転送する。
【０００５】
住宅内の操作端末から家電機器の操作，制御をするときには、操作端末での操作を受けて、ホームサーバが、ＡＳＰサーバにアクセスし、ＡＳＰサーバから、操作端末からホームネットワークに接続されている任意の家電機器へのアクセスを可能とするＧＵＩ画面の提供を受ける。また、操作端末から家電機器を指定して操作要求が送信されると、この操作要求が再びホームサーバを経てリンク先のＡＳＰサーバに送信され、ＡＳＰサーバはあらかじめ登録されている該当家電機器のＧＵＩサービス画面を呼び出して操作端末に送信する。
【先行技術文献】
【特許文献】
【０００６】
【特許文献１】特願２００５−３４６１８８（段落００２８，００３０，００３１）
【発明の概要】
【発明が解決しようとする課題】
【０００７】
しかし、特許文献１の発明では、家電機器を制御する画面のＧＵＩサービス画面の情報を、その都度住宅外のＡＳＰサーバから取得する必要があるため、例えば、インターネット接続が切断されたときには、家電機器の操作ができなくなっていた。
機器ごとの画面遷移を伴わない操作性のよい画面を備え、かつ、異なる製造メーカーの家電機器を建物内に混在して設置させたときでも、すべての機器の操作画面を一体のシステムとして提供できる機器制御装置は知られていなかった。
【０００８】
本発明は、上記の課題に鑑みてなされたものであり、本発明の目的は、異なる製造メーカーの家電機器を建物内に混在して設置させたときでも、すべての機器の操作画面を一体のシステムとして提供できる機器制御装置及びその方法を提供することにある。
本発明の他の目的は、機器ごとの画面遷移を伴わない操作性のよい画面を備えた機器制御装置及びその方法を提供することにある。
【課題を解決するための手段】
【０００９】
前記課題は、請求項１の機器制御装置によれば、建物内ネットワークを介して接続された建物の複数のエネルギー機器を、リモートコントロール（以下、リモコン）操作画面を用いて制御する機器制御装置であって、矩形の単位グリッドが隙間を置いて格子状に配列されたグリッドパターンを記憶するグリッドパターン記憶手段と、前記機器群毎のリモコン操作手段及び運転状態を表示する画面部品のオブジェクトを格納する画面部品オブジェクト記憶手段と、を備え、前記グリッドパターン記憶手段から、前記グリッドパターンを取得すると共に複数の前記画面部品のオブジェクトを、前記画面部品オブジェクト記憶手段から取得し、前記オブジェクトの外周を形成する線が、単一の前記単位グリッド又は隣り合う前記単位グリッドの集合体によって形成される領域の外周を形成する線と一致するように、画面上に表示することによって、前記機器群毎の前記画面部品を前記画面上に並べて複数表示するリモコン操作画面の表示手段を備えること、により解決される。
【００１０】
前記課題は、請求項５の機器制御方法によれば、建物内ネットワークを介して接続された建物の複数のエネルギー機器を、リモコン操作画面を用いて制御する機器制御方法であって、矩形の単位グリッドが隙間を置いて格子状に配列されたグリッドパターンを記憶するグリッドパターン記憶手段から、前記グリッドパターンを取得すると共に、前記機器群毎のリモコン操作手段及び運転状態を表示する画面部品のオブジェクトを格納する画面部品オブジェクト記憶手段から、複数の前記画面部品のオブジェクトを取得し、前記オブジェクトの外周を形成する線が、単一の前記単位グリッド又は隣り合う前記単位グリッドの集合体によって形成される領域の外周を形成する線と一致するように、画面上に表示することによって、前記機器群毎の前記画面部品を前記画面上に並べて複数表示すること、により解決される。
【００１１】
このように、グリッドパターンが、矩形の単位グリッドが隙間を置いて格子状に配列されてなるため、グリッドパターン記憶手段から、グリッドパターンを取得すると共に複数の画面部品のオブジェクトを、画面部品オブジェクト記憶手段から取得し、オブジェクトの外周を形成する線が、単一の単位グリッド又は隣り合う単位グリッドの集合体によって形成される領域の外周を形成する線と一致するように、画面上に表示することによって、機器群毎の画面部品を画面上に並べて複数表示するだけで、複数の画面部品を、隙間を置いて画面上に表示することができる。
従って、種々の機器の制御画面を画面部品として用意しておけば、これらの機器の画面部品を一つの画面上に適宜並べて表示でき、機器等ごとの画面遷移を伴わない操作性のよい画面を備えた機器制御装置とすることができる。
また、近年、エネルギー機器の製造メーカーが、機器の通信プロトコルに標準規格を採用する傾向が高まったことから、建物内ネットワークに接続された各機器の制御信号等の方式の統一化が容易になり、建物内の各機器を機器制御装置から一括制御することが容易になった。このような技術的環境の整備と相まって、本発明のような、建物内の複数の機器の制御及び運転状態の情報表示を、一つのリモコン操作画面から集中的に行う技術の利用価値がより高まり、本願発明では、従来のリモコン装置と対比して飛躍的に操作性の向上した機器制御装置の提供が可能となった。
【００１２】
このとき、請求項２のように、前記リモコン操作画面の表示手段は、対応する前記機器から、前記建物内ネットワークを介して、前記機器の設定及び運転状態を示す情報を受信して、該情報を用いて、前記リモコン操作手段及び前記運転状態を表示すると好適である。
このように、建物内ネットワークを介して、機器の設定及び運転状態を示す情報を受信するため、その都度、最新の機器の設定及び運転状態を示す情報を、迅速かつ容易に取得でき、機器とリモコン操作画面との間で時間差が生じにくく、レスポンスのよいリモコン操作画面とすることができる。
【００１３】
このとき、請求項３のように、前記リモコン操作手段及び前記運転状態を表示する運転状態表示欄のオブジェクトを格納する操作オブジェクト記憶手段と、前記リモコン操作手段及び前記運転状態表示欄の各々について、前記画面部品に表示するか否かを設定する設定手段と、該設定手段で設定された前記リモコン操作手段及び前記運転状態表示欄の表示要否の別を、前記画面部品毎に記憶する表示要否記憶手段と、を備え、前記リモコン操作画面表示手段は、前記画面部品を特定する情報をキーとして前記表示要否記憶手段を参照して、前記設定手段で表示するように設定された前記画面部品に表示する前記リモコン操作手段及び前記運転状態表示欄の特定情報を取得し、該取得したリモコン操作手段及び運転状態表示欄の特定情報をキーとして、前記操作オブジェクト記憶手段を参照し、前記設定手段で表示するように設定された前記リモコン操作手段及び前記運転状態表示欄のオブジェクトを取得して、該当する前記画面部品上に表示すると好適である。
このように構成しているため、ユーザ等が、各機器を操作するための画面部品に表示する操作手段及び運転状態の表示を、設定することができる。従って、リモコン操作画面から操作することがほとんどないような機器を、リモコン操作画面から省くことができるため、使用頻度に応じてリモコン操作画面を設定でき、ユーザの嗜好に沿ったリモコン操作画面とすることができる。
【００１４】
このとき、請求項４のように、前記リモコン操作画面の表示手段は、前記リモコン操作画面の表示を要求する要求信号を受けたときに、前記グリッドパターン及び前記複数の画面部品のオブジェクトを取得して画面上に表示し、前記機器群毎の前記画面部品を前記画面上に並べて複数表示することによって、前記リモコン操作画面を表示すると好適である。
このように構成しているため、ユーザがリモコン操作画面を表示させるときに、その都度、グリッドパターン及びオブジェクトを配置するので、建物内の機器を新たに設置した後や、表示設定を変更した後でも、リモコン操作画面表示時に、設定変更等を行う必要がなく、リモコン操作画面表示時の煩雑さがない。
【発明の効果】
【００１５】
本発明によれば、グリッドパターンが、矩形の単位グリッドが隙間を置いて格子状に配列されてなるため、グリッドパターン記憶手段から、グリッドパターンを取得すると共に複数の画面部品のオブジェクトを、画面部品オブジェクト記憶手段から取得し、オブジェクトの外周を形成する線が、単一の単位グリッド又は隣り合う単位グリッドの集合体によって形成される領域の外周を形成する線と一致するように、画面上に表示することによって、機器群毎の画面部品を画面上に並べて複数表示するだけで、複数の画面部品を、隙間を置いて画面上に表示することができる。
従って、種々の機器の制御画面を画面部品として用意しておけば、これらの機器の画面部品を一つの画面上に適宜並べて表示でき、機器等ごとの画面遷移を伴わない操作性のよい画面を備えた機器制御装置とすることができる。
また、近年、エネルギー機器の製造メーカーが、機器の通信プロトコルに標準規格を採用する傾向が高まったことから、建物内ネットワークに接続された各機器の制御信号等の方式の統一化が容易になり、建物内の各機器を機器制御装置から一括制御することが容易になった。このような技術的環境の整備と相まって、本発明のような、建物内の複数の機器の制御及び運転状態の情報表示を、一つのリモコン操作画面から集中的に行う技術の利用価値がより高まり、本願発明では、従来のリモコン装置と対比して飛躍的に操作性の向上した機器制御装置の提供が可能となった。
【図面の簡単な説明】
【００１６】
【図１】本発明の一実施形態に係るシステムの全体構成説明図である。
【図２】本発明の一実施形態に係るリモコントップ画面を示す説明図である。
【図３】本発明の一実施形態に係るグリッドパターンを示す説明図である。
【図４】本発明の一実施形態に係るリモコントップ画面テーブルを示す説明図である。
【図５】本発明の一実施形態に係る設定画面を示す説明図である。
【図６】本発明の一実施形態に係る表示項目テーブルを示す説明図である。
【図７】本発明の一実施形態に係るリモコントップ画面の表示処理のフローチャートである。
【図８】本発明の一実施形態に係る画面部品名画面を示す説明図である。
【図９】本発明の一実施形態に係るエアコン一台ごとの詳細操作画面を示す説明図である。
【発明を実施するための形態】
【００１７】
以下、本発明の実施形態について、図を参照して説明する。なお、以下に説明する構成は、本発明を限定するものではなく、本発明の趣旨に沿って各種改変することができることは勿論である。
＜エネルギー機器制御システム＞
本実施形態のエネルギー機器制御システム（以下、本システムとする）Ｓは、建物としての住宅Ｈに設置されたエネルギー機器の各々を、機器制御装置としてのホームサーバ１０の制御により住宅Ｈ内の端末コンピュータ(以下、端末という)３０に表示されるリモートコントローラ（以下、リモコンとする）トップ画面１００を用いて制御するシステムである。
本明細書において、エネルギー機器とは、照明，エアコン，機器，蓄電池等のエネルギー消費機器と、太陽電池等の創エネルギー機器の双方を含み、以下、単に機器という。
【００１８】
図１に示すように、本システムＳは、住宅Ｈ内に構築されホームサーバ１０により制御されるホームネットワークと、ホームサーバ１０を介してホームネットワークに通信可能に接続される端末コンピュータ３０（以下、端末３０とする）と、各機器１〜５を備えている。
ホームネットワークは、例えば、Ｅｔｈｅｒｎｅｔ（登録商標）ケーブルを用いた有線、あるいは、ＩＥＥＥ８０２．１ｘまたはＢｌｕｅｔｏｏｔｈ（登録商標）を用いた無線によるＩＰネットワークにより構成される。
本システムＳでは、住宅Ｈに機器が設置されると、自動で機器が認識されて、ホームサーバ１０への登録処理が行われる。一旦ホームサーバ１０に登録された機器は、端末３０の画面に表示されるリモコン画面から、ホームネットワークを介して制御可能となる。
【００１９】
ホームサーバ１０は、本システムＳの中枢をなし、ホームネットワークを通じて、住宅Ｈ内に存在する通信対象機器（例えば、機器１〜５及び端末３０）との間でデータや制御信号を受け渡す。すなわち、ホームサーバ１０は、ホームネットワークを通じて住宅Ｈ内で使用されている機器と通信して、機器の運転状態を制御することが可能である。ここで、運転状態とは、機器の発停（オンオフ）、冷房や暖房等の運転モード、設定温度等の運転管理値など、機器の運転に関して制御可能な事項を示す概念である。
【００２０】
また、ホームサーバ１０は、住宅Ｈ内の各機器を制御するリモコン画面を端末３０に表示させるための表示データを生成して、当該表示データを端末３０に向けて送信する機能を備えている。
ホームサーバ１０は、図１に示すように、ＣＰＵ１０ａ、ＲＯＭ１０ｂ、ＲＡＭ１０ｃ、通信用インタフェース（図１では通信用Ｉ／Ｆと表記）１０ｄ、ＨＤＤ１０ｅを主たるハードウェア構成要素として備えており、ＨＤＤ１０ｅには、各種プログラムやテーブル，オブジェクトデータ等が記憶されている。そして、このプログラムがＣＰＵ１０ａによって実行されることにより、上述したホームサーバ１０の機能が発揮されることになる。
【００２１】
ＨＤＤ１０ｅに記憶されているプログラムには、通信プログラム、機器制御プログラム、機器認識プログラム、動作確認プログラム、表示データ生成プログラムが含まれている。
通信プログラムは、ホームネットワークを介してホームサーバ１０と通信可能に接続している機器と通信し、当該機器との間でデータの受け渡しを行うためのプログラムである。なお、本実施形態に係るホームサーバ１０は、図１に示すように、ルータ１１を介してインターネット１２に接続しており、上記の通信プログラムにより、住宅Ｈ外に存する不図示の外部サーバとの間でデータの受け渡しを行うことも可能である。
【００２２】
機器制御プログラムは、ホームネットワークを通じて住宅Ｈ内の機器を遠隔制御するためのプログラムであり、具体的には、ユーザが制御対象として指定した機器に向けて、ユーザが指定した条件に従って運転状態を切り換えるための制御信号を出力するものである。
機器認識プログラムは、ホームサーバ１０に対して通信可能に接続された機器を自動認識するためのプログラムである。
【００２３】
動作確認プログラムは、機器を遠隔制御した際に当該機器の運転状態が正常に切り替わるか否かを検査するためのプログラムである。具体的に説明すると、動作確認プログラムが実行されると、検査対象となる機器を指定する指定操作を受け付けることが可能になる。動作確認プログラムは、当該指定操作を受け付けると、前述の機器制御プログラムを起動させて、機器制御プログラムにより、検査対象として指定された機器に向けて制御信号を出力させる。その後、制御信号に応じて機器の運転状態が正常に切り替わるか否かを検査者（例えば、施工業者）が現地確認し、動作確認プログラムは、その確認結果を受け付けるようになる。
また、ホームサーバ１０のＨＤＤ１０ｅには、各機器の識別番号と配置場所等の情報紐付けて格納する機器設定情報テーブル，各機器の識別情報，機種情報，制御機能情報等を紐付けて格納する機器情報テーブルが格納されている。
【００２４】
更に、ホームサーバ１０のＨＤＤ１０ｅには、図２のリモコントップ画面１００に表示する複数の表示オブジェクトの表示位置と表示サイズを指定するためのグリッドパターンファイルと、リモコントップ画面１００に含まれる画面部品１１０，１２０，１３０を特定するためのリモコントップ画面部品テーブルと、リモコントップ画面１００に含まれる各画面部品１１０，１２０，１３０の表示項目とその表示項目の表示設定を格納する表示項目テーブルと、複数の表示オブジェクトを含むオブジェクトフォルダと、背景画面フォルダと、が格納されている。
【００２５】
グリッドパターンファイルは、画面を擬似的に分割する図３のグリッドパターン２００を格納するファイルである。本実施形態のグリッドパターン２００は、図３に示すように、リモコントップ画面１００の四辺よりそれぞれ所定距離内側の位置を四辺とする矩形の領域に、正方形の単位グリッド２１０を、間に所定幅の隙間２１１を置いて縦横に並べて配置したパターンからなる。
つまり、図３のように、リモコントップ画面１００は、右上から右横方向をＸ軸、手前下方向をＹ軸とした座標系が構成されており、原点（０，０）からＸ，Ｙ方向にそれぞれ５３ｐｘ，７４ｐｘ離れた座標（５３ｐｘ，７４ｐｘ）の位置から、グリッドが配置されている。各グリッドは、Ｘ，Ｙ方向がそれぞれ８３ｐｘの長さの正方形であり、２２ｐｘの幅の隙間をおいて縦横に整列して配置されている。
【００２６】
本実施形態では、画面部品１１０，１２０，１３０は、矩形からなり、左上の角１１０ａ，１２０ａ，１３０ａ及び右下の角１１０ｂ，１２０ｂ，１３０ｂの座標を特定することにより、グリッドパターン２００上で位置が特定される。
【００２７】
左上の角１１０ａ，１２０ａ，１３０ａは、各単位グリッド２１０の左上の角２１０ａ（Ｘ１，Ｙ１）の位置にのみ配置可能であり、Ｘ１，Ｙ１は、次の式で示される。
Ｘ１＝ａ＋ｎ１×（ｂ＋ｃ）（ｐｘ）
但し、ａ：原点からＸ軸方向の一つ目の単位グリッド２１０までの距離
（本実施形態では、５３ｐｘ）
ｂ：単位グリッド２１０のＸ軸方向の長さ（本実施形態では、８３ｐｘ）
ｃ：隙間２１１のＸ軸方向の長さ（本実施形態では、２２ｐｘ）
ｎ１：０以上、単位グリッド２１０のＸ軸に沿った数以下の整数
（本実施形態では、０以上７以下の整数）
Ｙ１＝ｄ＋ｎ１´×（ｅ＋ｆ）（ｐｘ）
但し、ｄ：原点からＹ軸方向の一つ目の単位グリッド２１０までの距離
（本実施形態では、７４ｐｘ）
ｅ：単位グリッド２１０のＹ軸方向の長さ（本実施形態では、８３ｐｘ）
ｆ：隙間２１１のＸＹ軸方向の長さ（本実施形態では、２２ｐｘ）
ｎ１´：０以上、単位グリッド２１０のＹ軸に沿った数以下の整数
（本実施形態では、０以上５以下の整数）
【００２８】
また、右下の角１１０ｂ，１２０ｂ，１３０ｂは、各単位グリッド２１０の左上の角２１０ｂ（Ｘ２，Ｙ２）の位置にのみ配置可能であり、Ｘ２，Ｙ２は、次の式で示される。
Ｘ２＝ａ＋ｂ＋ｎ１×（ｂ＋ｃ）（ｐｘ）
但し、ａ：原点からＸ軸方向の一つ目の単位グリッド２１０までの距離
（本実施形態では、５３ｐｘ）
ｂ：単位グリッド２１０のＸ軸方向の長さ（本実施形態では、８３ｐｘ）
ｃ：隙間２１１のＸ軸方向の長さ（本実施形態では、２２ｐｘ）
ｎ１：０以上、単位グリッド２１０のＸ軸に沿った数以下の整数
（本実施形態では、０以上７以下の整数）
Ｙ２＝ｄ＋ｅ＋ｎ１´×（ｅ＋ｆ）（ｐｘ）
但し、ｄ：原点からＹ軸方向の一つ目の単位グリッド２１０までの距離
（本実施形態では、７４ｐｘ）
ｅ：単位グリッド２１０のＹ軸方向の長さ（本実施形態では、８３ｐｘ）
ｆ：隙間２１１のＸＹ軸方向の長さ（本実施形態では、２２ｐｘ）
ｎ１´：０以上、単位グリッド２１０のＹ軸に沿った数以下の整数
（本実施形態では、０以上５以下の整数）
【００２９】
図４のリモコントップ画面部品テーブルは、リモコントップ画面１００に含める画面部品１１０，１２０，１３０を特定する画面部品識別情報と、その画面部品の表示有無の設定を示す表示設定と、その画面部品の表示始点及び表示終点と、リモコントップ画面１００表示前に表示する画面部品名のオブジェクト名と、詳細画面に遷移するための詳細画面識別情報と、を備えている。
表示始点及び表示終点は、画面部品の画面上の表示位置の設定値を定めるもので、表示始点は、画面部品の左上、表示終点は、右下の座標を指定する値であり、上述した（Ｘ１，Ｙ１），（Ｘ２，Ｙ２）の値のみ指定可能である。
例えば、蓄電池画面部品１１０は、図４に示すように、始点が（５３ｐｘ，７４ｐｘ）であって、終点が（４５１ｐｘ，３６７ｐｘ）であるため、最も右上のグリッドから、Ｘ方向へ４つ分、Ｙ方向へ３つ分の合計１２個のグリッドの領域をカバーする範囲に表示される。
【００３０】
また、画面部品の表示有無の設定を示す表示設定と、表示始点及び表示終点は、デフォルトで予め設定されているが、図５の設定画面３００の画面部品表示設定欄３１０及び画面部品レイアウト変更画面表示ボタン３２０をクリックして表示される不図示の画面部品レイアウト変更画面で、ユーザが変更可能である。
【００３１】
図６の表示項目テーブルは、各画面の表示項目と、その表示項目を表示するか否かの設定が登録されたテーブルであって、図５の設定画面３００で、ユーザにより設定された情報が格納されており、項目として、画面部品を特定する画面識別情報と、表示の項目と、その項目での表示内容と、を備えている。
オブジェクトフォルダには、リモコントップ画面１００に含める画面部品１１０，１２０，１３０のオブジェクトや、画面部品１１０，１２０，１３０に表示される各表示項目のオブジェクトが格納されている。各オブジェクトは、そのオブジェクトの識別情報を、そのファイルの名称として保存されている。
【００３２】
背景画面フォルダには、リモコン画面の背景画面のデータが格納されている。背景画面フォルダには、デフォルトで背景画面が登録されているが、図２のリモコントップ画面１００の背景設定ボタン１４０をクリックすることにより表示される不図示の背景設定画面でユーザが背景画面を登録すると、この背景画面のデータが背景画面フォルダに登録される。
【００３３】
本実施形態に係る機器は、住宅Ｈ内に複数設置されている。図１では、説明を分かり易くする目的から、住宅Ｈ内で使用されている機器のうち、エアコン１、エアコン２、照明３、照明４及び蓄電池５のみを図示している。ただし、図１に図示した例は、住宅Ｈ内で使用されている機器の一例に過ぎず、当然ながら、図１に図示された機器以上の台数の機器が、本システムＳの端末３０からリモコン制御可能とされていてもよい。
【００３４】
機器の各々は、住宅Ｈ内の所定の設定位置に配置され、設定位置にてホームサーバ１０と通信し、ホームサーバ１０から出力された制御信号を受信する。ここで、上記の設定位置については、住宅Ｈの施工に着手する前のレイアウト検討の段階で、予め決定されている。
【００３５】
また、本実施形態に係る機器の各々は、ホームサーバ１０に対して通信可能に接続されると、ホームサーバ１０側で自動認識されるようになっている。具体的に説明すると、エアコン１，２及び照明３，４，蓄電池５を含む機器は、ＥＣＨＯＮＥＴ（エコーネット）コンソーシアムが提唱するＥＣＨＯＮＥＴ規格という標準規格を採用した機器、若しくは同規格に準拠した規格を採用した機器となっている。このような機器は、上記のＥＣＨＯＮＥＴ規格により、ホームサーバ１０に対して通信可能に接続されるとホームサーバ１０側で自動的に認識されるようになり、さらに、住宅Ｈ内で使用される機器としてホームサーバ１０に登録されるようになっている。ここで、機器を自動認識して登録するための技術としては、公知の技術（例えば、プラグアンドプレイ（登録商標）技術）が利用可能である。
【００３６】
なお、本実施形態において、ＥＣＨＯＮＥＴ規格若しくは同規格に準拠した規格を採用しない機器を設置する場合には、手動で、ホームサーバ１０の記憶手段に制御情報や機能情報等を登録し、ホームサーバ１０に通信可能に接続されることにより、ホームサーバ１０側で自動的に認識されるようになっている。
【００３７】
端末３０は、住宅Ｈ内でユーザが利用する情報処理端末であり、ブラウジング機能を有し、ホームネットワークを介してホームサーバ１０と通信可能に接続されている。また、端末３０は、ホームサーバ１０からのデータが示す情報をディスプレイに表示する。すなわち、端末３０は、ディスプレイに、各機器を制御するリモコントップ画面１００等を表示する。
【００３８】
＜ホームサーバ１０への自動登録＞
各機器のホームサーバ１０への自動登録は、次の流れに従って実行される。
住宅Ｈの設計，建築において、住宅メーカは、住宅Ｈ内の設備構成やオプション設定等に基づいてホームネットワークの仕様の検討を行う。続いて、採用されたネットワーク構成の仕様および住宅Ｈ内の設備構成等を基に図面を作成する。
【００３９】
そして、作成された図面に基づいて、機器の設置工事を行う。この工事では、住宅メーカ及び電気工事業者は、住宅Ｈ内で電気配線を行い、機器を設置する。このとき、ホームサーバ１０、端末３０の設置も行う。
【００４０】
そして、住宅メーカによる機器の設置工事が完了すると、住宅メーカの担当者は、機器の結線、配線、通電の有無、動作などを検査する。
次いで、住宅メーカの担当者は、不図示の検査用端末をホームサーバ１０に接続し、各機器とホームサーバ１０との間の接続、動作確認を行う。
この動作確認では、まず、検査用端末にて所定の操作が行われると、動作確認の対象候補となる機器のリストが、検査用端末の動作確認画面に表示される。
リスト表示された機器のいずれかが画面上で選択されると、その機器の機器別動作確認画面が表示される。この機器別動作確認画面で、不図示の制御信号出力ボタンがクリックされると、検査用端末がホームサーバ１０に対して制御実行を要求し、この要求を受けたホームサーバ１０が、運転状態を切り換えるような制御信号を、検査対象として指定された機器に向けて出力する。
【００４１】
検査者は、検査対象として指定された機器が配置されている場所に行き、運転状態が正常に切り替わったか否かを確認する。ここで、検査対象として指定された機器が正常機器であれば、ホームネットワークを通じて制御信号を受信し、その運転状態が制御信号に応じて正常に切り替わっているので、検査者は、当該機器については動作確認済と判断する。反対に、機器自体が不良品である等の理由により機器の運転状態が正常に切り替わっていない場合には、機器の据付をやり直し、その後、改めて検査を行う。
【００４２】
その後、検査者は、動作確認済と判断した機器について、機器別動作確認画面に表示されている不図示の配置場所入力欄に、当該機器の設定位置を入力する。
【００４３】
その後、機器別動作確認画面に表示された不図示の完了ボタンが押されると、検査用端末側で、配置場所入力欄の入力データと、完了ボタンが押された日時を示すデータとが生成され、これらのデータが、機器のユニークな識別番号と共にホームサーバ１０に送信される。
ホームサーバ１０は、これらの情報を受信すると、機器設定情報テーブルに登録する。
【００４４】
ホームサーバ１０の機器設定情報テーブルへの登録が完了すると、ホームサーバ１０は、自動で、各機器の機種情報，制御機能情報の初期登録を行う。
初期登録の処理は、ホームサーバ１０のＣＰＵで制御される。
まず、機器に向けて、識別番号，機種情報，制御機能情報の送信要求信号を送信し、その機器から、識別番号，機種情報，制御機能情報を受信する。受信した情報を、ホームサーバ１０の機器情報テーブルに登録する。この処理を、ホームネットワークに接続されたすべての機器について行う。
ここで、機器のユニークな識別番号とは、例えばＭＡＣアドレス，グローバルＩＰアドレス等である。また、機種情報とは、エアコン，照明器具等の機器の種類名，メーカー名，機種名，製品番号等である。制御機能情報とは、制御できる機能名と制御内容であって、例えば、冷房／暖房／除湿機能の有無，切替制御手順,温度設定手順，室温測定機能の有無と室温測定手順等、ビデオデッキであれば録画予約手順等のように遠隔から目的の家電機器を指定して操作するために必要な情報である。
以上の接続，動作確認，初期登録が完了すると、依頼主に対して、本実施形態のホームネットワークの操作説明を行い、その後、依頼主に住宅Ｈを引き渡しホームネットワークの構築を完了する。
【００４５】
＜リモコントップ画面１００の設定＞
機器のリモコントップ画面１００は、図２のリモコントップ画面１００及び図６の表示項目テーブルで示すように、画面のレイアウトが、デフォルトで設定されているが、ユーザの設定により、画面部品１１０，１２０，１３０の位置変更や表示項目の削減が可能となっている。
リモコントップ画面１００のレイアウトを変更するための設定画面３００を、図５に示す。
図２のリモコントップ画面１００で、各種設定タブ１５１がクリックされると、ホームサーバ１０は、端末３０に、図５の設定画面３００を表示する。
図５の設定画面３００は、各画面部品１１０，１２０，１３０の表示有無を設定するための画面部品表示設定欄３１０と、不図示の画面部品レイアウト変更画面を表示させるためのレイアウト変更画面表示ボタン３２０と、画面部品１１０，１２０，１３０の表示項目を変更するための表示項目設定欄３３０と、を備えている。
【００４６】
画面部品表示設定欄３１０は、画面部品１１０，１２０，１３０のうち、表示の不要なものを「ｏｆｆ」にセットすることで、非表示に設定可能である。
不図示のレイアウト変更画面は、ユーザがマウスを使ってドラッグアンドドロップ操作することにより、各画面部品１１０，１２０，１３０の配置の入れ替えや、サイズを拡大縮小可能な画面であり、レイアウト変更画面表示ボタン３２０をクリックすることにより表示される。
また、表示項目設定欄３３０では、デフォルトで設定された各画面部品１１０，１２０，１３０の表示項目のうち、表示の不要なものを、「ｏｆｆ」にセットすることで、非表示に設定可能である。
図５は、スイッチ画面部品１３０の主寝室，トイレ，浴室のスイッチボタンを非表示に設定した例を示している。
表示項目設定欄３３０での設定内容は、ホームサーバ１０のＨＤＤ１０ｅの図６の表示項目テーブルに登録される。
【００４７】
＜リモコン制御処理＞
ホームサーバ１０による住宅Ｈ内の機器のリモコン制御をするためのリモコントップ画面１００を表示する処理について、図７のフローチャートに基づき説明する。このフローチャートの処理は、ホームサーバ１０のＣＰＵ１０ａにより制御される。
まず、端末３０の不図示のトップ画面で、ホームリモコンのタブがクリックされると、図７のフローチャートの処理がスタートする。
【００４８】
まず、ステップＳ１で、ホームサーバ１０のＨＤＤ１０ｅに格納されたグリッドパターンファイルから、グリッドパターンを取得して表示させる。
次いで、ステップＳ２で、図４のリモコントップ画面部品テーブルを参照し、表示設定がｏｎになっている画面部品の識別情報を取得する。
図４のリモコントップ画面部品テーブルにおいて、画面部品を特定する画面部品識別情報が、複数登録され、それぞれについて、設定画面３００でユーザによって表示の要否が、ｏｎ又はｏｆｆとして設定されている。図４の例では、蓄電池の画面部品１１０と、エアコンの画面部品１２０と、スイッチの画面部品１３０とが、システム上にもともと準備されており、それらのすべての画面部品が表示されるよう、ユーザによりｏｎに設定されている。
【００４９】
次いで、ステップＳ３で、ステップＳ２で取得した画面部品の識別情報それぞれをキーとして図６の表示項目テーブルを参照し、これらの画面部品で表示する表示項目を取得する。
ステップＳ４で、背景画面フォルダから、背景画面１４２を取得して、画面の背景に表示する。
【００５０】
次いで、ステップＳ５で、ステップＳ２で取得した識別情報に係る画面部品１１０，１２０，１３０の表示領域に、図８に示す画面部品名画面１６１，１６２，１６３を表示する。
このステップでは、ステップＳ２で取得した画面部品の識別情報をキーとして図４のリモコントップ画面部品テーブルを参照し、画面部品名オブジェクト名，表示始点，表示終点を取得して、この画面部品名オブジェクト名を有するオブジェクトを、オブジェクトフォルダから取得して、表示始点及び表示終点で指定された領域に表示する。
【００５１】
次いで、ステップＳ６で、画面部品名画面１６１，１６２，１６３を公知の方法でフェードアウト処理を行って画面上から消しながら、図８のステップＳ２で取得した識別情報に係る画面部品の表示オブジェクトを、グリッドパターン２００上に重ねて表示する。
このステップでは、ステップＳ２で取得した画面部品の識別情報をキーとして、オブジェクトフォルダを参照して、該当する画面部品のオブジェクトを抽出し、グリッドパターン２００上に重ねて、図４のリモコントップ画面部品テーブルから取得した表示始点，表示終点で指定された位置に、表示させる。
このとき、画面部品のオブジェクトの表示サイズは、表示始点，表示終点で指定された領域に合うよう、公知の方法で圧縮変換する。
画面部品１１０，１２０，１３０の位置は、左上及び右下の２角の座標を指定することにより特定されるため、縦横それぞれ整数個のグリッドの集合によって形成される長方形又は正方形に重なるように描画される。
【００５２】
ステップＳ７で、各画面部品１１０，１２０，１３０のレイアウトを行って、表示項目のオブジェクトを表示する。
このステップでは、ステップＳ３で取得した各画面部品の表示項目の識別情報をキーとしてオブジェクトフォルダを参照して、該当する表示項目のオブジェクトを抽出し、ステップＳ６で圧縮変換した縮尺と同じ縮尺で、ステップＳ４で表示した画面部品１１０，１２０，１３０の表示オブジェクト上に表示する。
このステップでは、図６の表示項目テーブルの表示項目を１件読み込み、表示設定がｏｎであるか判定する。ｏｎでない場合には、その表示項目については何も実行せずに、次の表示項目を読み込む。ｏｎである場合には、該当する機器に、その表示項目で表示する情報の送信を要求する情報送信指令信号を送信し、要求した情報を受信して、表示する。
同じ処理を図６の表示項目テーブルの表示項目を順次読み込んで実行し、表示設定がｏｎである表示項目すべてのオブジェクトを表示して、図２のリモコントップ画面１００を表示し、フローチャートの処理を終了する。
【００５３】
図２のリモコントップ画面１００は、蓄電池５をリモコン操作するための画面部品１１０，エアコン１，２をリモコン操作するための画面部品１２０，照明３，４をリモコン操作するための画面部品１３０を備えている。
蓄電池５の画面部品１１０には、現在の運転状態を示す運転状態表示欄１１１，自動運転を指示する自動運転ボタン１１２，停止を指示する停止ボタン１１３，充電中であることを示す充電中表示ランプ１１４，放電中であることを示す放電中表示ランプ１１５を備えている。図２では、運転状態表示欄１１１は、自動運転中，放電中であり、電池の蓄電率が８０％であることを表示している。
【００５４】
エアコン１，２の画面部品１２０は、住宅Ｈ内のすべてのエアコン１，２全体の運転状態や操作ボタンを表示するものであって、現在の運転状態を示す運転状態表示欄１２１，省エネ快適機能での制御を指示する省エネ快適ボタン１２２，節電機能での制御を指示する節電ボタン１２３，その日の制御スケジュールを表示させる不図示のスケジュール表示画面に遷移するためのスケジュール画面表示ボタン１２４，図９のエアコン１台ごとの詳細操作画面４００を表示させるための詳細表示ボタン１２５を備えている。
図２では、運転状態表示欄１２１は、「ちょうど満足」モードで、節電機能により冷房運転中であることを示している。
照明３，４の画面部品１３０には、駐車場，リビング，キッチン，子供部屋の照明の電源スイッチ１３１を備えている。
【００５５】
また、図２のエアコンの画面部品１２０は、住宅Ｈ内のすべてのエアコン１，２の運転状態や操作ボタンを表示するが、ポップアップ画面で、個々のエアコン１，２の運転状態や操作ボタンを表示することも可能である。
図２の画面部品１２０の詳細表示ボタン１２５がクリックされると、図９の詳細操作画面４００が表示される。
詳細表示ボタン１２５がクリックされると、ホームサーバ１０は、その画面部品の識別情報をキーとして図４のリモコントップ画面部品テーブルを参照し、詳細画面の識別情報を取得する。
【００５６】
この詳細画面の識別情報をキーとして不図示の詳細画面表示項目テーブルを参照し、表示設定がｏｎになっている表示項目について、オブジェクトフォルダからオブジェクトを取得する。
ここでは、不図示の詳細画面表示項目テーブルの表示項目を１件読み込み、表示設定がｏｎであるか判定する。ｏｎでない場合には、その表示項目については何も実行せずに、次の表示項目を読み込む。ｏｎである場合には、該当する機器に、その表示項目で表示する情報の送信を要求する情報送信指令信号を送信し、要求した情報を受信して、表示し、図９の詳細操作画面４００を表示する。
【００５７】
図９の詳細操作画面４００は、詳細情報を表示するエアコンを選択するためのエアコン選択欄４０１と、選択されたエアコンの室内の室温，湿度を表示する温湿度表示欄４０２と、冷暖房の別，風量，設定温度を表示し、設定温度の変更ボタンを含む設定表示欄４０３と、住宅Ｈ内のすべてのエアコンについての表示に切り替えるためのまとめてボタン４０４と、を備えている。
【符号の説明】
【００５８】
Ｈ  住宅
Ｓ  エネルギー機器制御システム
１，２  エアコン
３，４  照明
５  蓄電池
１０  ホームサーバ
１０ａ  ＣＰＵ
１０ｂ  ＲＯＭ
１０ｃ  ＲＡＭ
１０ｄ  通信用インタフェース
１０ｅ  ＨＤＤ
１１  ルータ
１２  インターネット
３０  端末コンピュータ
１００  リモコントップ画面
１１０，１２０，１３０  画面部品
１１０ａ，１２０ａ，１３０ａ，１１０ｂ，１２０ｂ，１３０ｂ，２１０ａ，２１０ｂ  角
２００  グリッドパターン
２１０  単位グリッド
２１１  隙間
３００  設定画面
【図１】
2014187476.tif 000003
【図２】
2014187476.tif 000004
【図３】
2014187476.tif 000005
【図４】
2014187476.tif 000006
【図５】
2014187476.tif 000007
【図６】
2014187476.tif 000008
【図７】
2014187476.tif 000009
【図８】
2014187476.tif 000010
【図９】
2014187476.tif 000011